(57)【要約】      （修正有）【課題】排便処理をした後の、排便容器の後始末が衛生的且つ簡単に処理ができ、処理時間の短縮や排便処理に対する精神的負担を軽減すること。【解決手段】道具の腕を、排便容器の口部にある細長い袋部に差込装着し、留め具を腕方向にスライドさせ、排便容器の口を開けて使用する。便の入った容器の口は、留め具を腕とは逆の方向にスライドさせて閉じれば、容器の中が見えずにまた、周囲の物を汚す心配もなくトイレまで運ぶことができる。使用済み排便容器は焼却処分すれば衛生的に処理できる。【選択図】図５
0003133755.tif 000002
【実用新案登録請求の範囲】
【請求項１】
取っ手の一方に、取り付け部を中心に回転する２本の角の付いた腕を有し、その回転する腕を固定する為の留め具を有した道具の２本の腕に、排便容器を着脱して使用することを特徴とする、使い捨て排便処理具。
【請求項２】
請求項１に記載の留め具について、心棒の上下に板を平行に着けた形状で、下側の板は２本の垂れ下がった腕の間方向に角が付いた形となっており、この留め具を腕方向にスライドさせることで、下側の板が腕を横に広げながら上に押し上げ、２本の腕が一直線になると同時に上下の板で挟んで固定することを特徴とする。
【請求項３】
請求項１に記載の排便容器について、袋形状であり、容器口部は２本の腕を着脱する為の細長い袋部を有することを特徴とする排便容器。
【考案の詳細な説明】
【技術分野】
【０００１】
本考案は、排便時に使用する排便容器を衛生的に且つ簡単に処理する使い捨て排便処理具に関するものである。
【背景技術】
【０００２】
排便時に使用した容器は、便をトイレに捨て、洗浄、殺菌、乾燥などの作業をして容器を繰り返し使用している。便の中には、人間に有害な細菌が数多く存在し不衛生であり、作業する人や周囲の物に便が付着しないように気を付けながら作業をしなくてはならず、精神的にも大変である。
【考案の開示】
【考案が解決しようとする課題】
【０００３】
解決しようとする問題点は、排便時や便をトイレに捨てるまでの間に、人や周囲の物に便が付着しない工夫をし、使用した容器の、洗浄、殺菌、乾燥など作業の手間を省き、使用済み容器を衛生的に処理すること。
【課題を解決するための手段】
【０００４】
本考案は、図１の取っ手の一方に、取り付け部を中心に回転する２本の角の付いた腕に、図２排便容器を図３の様に装着し図４の留め具を腕方向にスライドさせ、図５の様に排便容器の口を開けて使用する。便の入った容器は、留め具を腕とは反対の方向にスライドして図３の様に排便容器の口を閉じてトイレまで運んで便を捨て、排便容器は焼却処分すれば衛生的に処理できる。
【考案の効果】
【０００５】
本考案は、排便処理をする人や周囲の物を汚すことなく便の処理ができ、排便容器の後始末が簡単にでき、処理時間の短縮や排便処理に対する精神的負担を軽減することができる。
【産業上の利用可能性】
【０００６】
本考案は、容器の材質を変えることにより、用途の幅が広くなる。例えば、耐水性材質を使えば、介護を必要とする人の排便容器として、また、犬の散歩時の糞取り容器としての応用ができる。濾紙材を使えば、液体を濾過することができる。
【図面の簡単な説明】
【０００７】
【図１】容器を装着する道具を示した図面代用写真である。
【図２】排便容器を示した図面代用写真である。
【図３】容器を装着する道具に、排便容器を装着した状態を示した図面代用写真である。
【図４】道具に組み込まれている留め具を側面から見た形を示した図面代用写真である。
【図５】留め具を腕方向にスライドさせ、排便容器の口を開けた状態を示した図面代用写真である。
【図６】道具の腕を開いた状態を示した図面代用写真である。
【図７】留め具の下側版を示した図面代用写真である。
【図１】
0003133755.tif 000003
【図２】
0003133755.tif 000004
【図３】
0003133755.tif 000005
【図４】
0003133755.tif 000006
【図５】
0003133755.tif 000007
【図６】
0003133755.tif 000008
【図７】
0003133755.tif 000009
【手続補正書】
【提出日】平成19年5月12日(2007.5.12)
【手続補正１】
【補正対象書類名】実用新案登録請求の範囲
【補正対象項目名】請求項２
【補正方法】変更
【補正の内容】
【請求項２】
請求項１に記載の留め具について、上部板と下部板と心棒とで形成し、その構造は心棒の両端に上部板と下部板を平行に着けた構造で、取っ手に組み込まれており、下部板は、腕取り付け部方向に角を有し、腕が閉じた状態時に留め具を腕取り付け部方向に移動させたとき、下部板の角は左右の腕の間に割り込み、左右の腕を取り付け部中心にそれぞれ左回転右回転させて腕を開いた状態にし、腕取り付け部に於いては、左右の腕が一直線に並ぶと同時に上部板と下部板で腕を挟み固定することを特徴とする排便処理具の留め具。
【手続補正２】
【補正対象書類名】明細書
【補正対象項目名】０００７
【補正方法】変更
【補正の内容】
【０００７】
【図１】排便処理具の腕が閉じた状態の側面図である。
【図２】排便処理具の腕が開いた状態の側面図である。
【図３】排便処理具の腕が閉じた状態の正面図である。
【図４】排便処理具の腕が開いた状態の正面図である。
【図５】排便処理具に排便容器を装着して、排便容器の口を開けた状態を示した図面代用写真である。
【図６】留め具の側面図である。
【図７】留め具の心棒の断面と下部板の形を示した図面である。
【図８】排便容器を示した図面代用写真である。
【手続補正３】
【補正対象書類名】明細書
【補正対象項目名】０００８
【補正方法】変更
【補正の内容】
【０００８】
１  腕
２  腕取り付け部
３  上部板
４  下部板
５  心棒
６  取っ手
７  角
【手続補正４】
【補正対象書類名】図面
【補正対象項目名】全図
【補正方法】変更
【補正の内容】
【図１】
0003133755.tif 000010
【図２】
0003133755.tif 000011
【図３】
0003133755.tif 000012
【図４】
0003133755.tif 000013
【図５】
0003133755.tif 000014
【図６】
0003133755.tif 000015
【図７】
0003133755.tif 000016
【図８】
0003133755.tif 000017
【手続補正書】
【提出日】平成19年5月16日(2007.5.16)
【手続補正１】
【補正対象書類名】手続補正書
【補正対象項目名】手続補正３
【補正方法】変更
【補正の内容】
【手続補正３】
【補正対象書類名】明細書
【補正対象項目名】全文
【補正方法】変更
【補正の内容】
【考案の詳細な説明】
【技術分野】
【０００１】
本考案は、排便時に使用する排便容器を衛生的に且つ簡単に処理する使い捨て排便処理具に関するものである。
【背景技術】
【０００２】
排便時に使用した容器は、便をトイレに捨て、洗浄、殺菌、乾燥などの作業をして容器を繰り返し使用している。便の中には、人間に有害な細菌が数多く存在し不衛生であり、作業する人や周囲の物に便が付着しないように気を付けながら作業をしなくてはならず、精神的にも大変である。
【考案の開示】
【考案が解決しようとする課題】
【０００３】
解決しようとする問題点は、排便時や便をトイレに捨てるまでの間に、人や周囲の物に便が付着しない工夫をし、使用した容器の、洗浄、殺菌、乾燥など作業の手間を省き、使用済み容器を衛生的に処理すること。
【課題を解決するための手段】
【０００４】
本考案は、図１の取っ手の一方に、取り付け部を中心に回転する２本の角の付いた腕に、図２排便容器を図３の様に装着し図４の留め具を腕方向にスライドさせ、図５の様に排便容器の口を開けて使用する。便の入った容器は、留め具を腕とは反対の方向にスライドして図３の様に排便容器の口を閉じてトイレまで運んで便を捨て、排便容器は焼却処分すれば衛生的に処理できる。
【考案の効果】
【０００５】
本考案は、排便処理をする人や周囲の物を汚すことなく便の処理ができ、排便容器の後始末が簡単にでき、処理時間の短縮や排便処理に対する精神的負担を軽減することができる。
【産業上の利用可能性】
【０００６】
本考案は、容器の材質を変えることにより、用途の幅が広くなる。例えば、耐水性材質を使えば、介護を必要とする人の排便容器として、また、犬の散歩時の糞取り容器としての応用ができる。濾紙材を使えば、液体を濾過することができる。
【図面の簡単な説明】
【０００７】
【図１】排便処理具の腕が閉じた状態の側面図である。
【図２】排便処理具の腕が開いた状態の側面図である。
【図３】排便処理具の腕が閉じた状態の正面図である。
【図４】排便処理具の腕が開いた状態の正面図である。
【図５】排便処理具に排便容器を装着して、排便容器の口を開けた状態を示した図面代用写真である。
【図６】留め具の側面図である。
【図７】留め具の心棒の断面と下部板の形を示した図面である。
【図８】排便容器を示した図面代用写真である。
【符号の説明】
【０００８】
１  腕
２  腕取り付け部
３  上部板
４  下部板
５  心棒
６  取っ手
７  角